(57)【要約】【課題】メンテナンス終了後に、外装ケース内の開閉弁の操作部を通常運転時のときの操作位置に戻し忘れるのを防止可能な貯湯給湯装置を提供する。【解決手段】貯湯給湯装置１は、貯湯タンク３と、給水配管４と加熱循環配管５と出湯配管６などの配管系と、給水配管４に設けられた開閉弁１５と、貯湯タンク３と配管系と開閉弁１５とを収納する外装ケース１０とを備え、外装ケース１０に形成された開口部４１と、この開口部４１を閉塞する為の着脱可能な扉部材４２とを備え、開閉弁１５は、開弁状態と閉弁状態とに切り換える為の操作部４３を備えると共に扉部材４２の近傍部に配置され、扉部材４２は、操作部４３が通常運転状態のときの操作位置とは異なる操作位置にある場合に開口部４１の閉塞が不可能になる干渉部４６を備えている。【選択図】図３
2014025647.tif 000002
【特許請求の範囲】
【請求項１】
貯湯タンクと、配管系に設けられた開閉弁と、前記貯湯タンクと前記配管系と前記開閉弁とを収納する外装ケースとを備えた貯湯給湯装置において、
前記外装ケースに形成された開口部と、この開口部を閉塞する為の着脱可能な扉部材とを備え、
前記開閉弁は、開弁状態と閉弁状態とに切り換える為の操作部を備えると共に前記扉部材の近傍部に配置され、
前記扉部材は、前記操作部が通常運転状態のときの操作位置とは異なる操作位置にある場合に前記開口部の閉塞が不可能になる干渉部を備えたことを特徴とする貯湯給湯装置。
【請求項２】
前記開閉弁は、前記操作部の一部が前記開口部から外方へ突出するように前記外装ケースの内部に配置され、
前記扉部材は、前記開閉弁の前記操作部の外形形状と同形状の開孔であって、前記開閉弁が開弁状態又は閉弁状態の場合に前記操作部が挿通可能な開孔を備え、
前記干渉部は、前記扉部材における前記開孔の周囲の壁部の一部からなることを特徴とする請求項１に記載の貯湯給湯装置。
【請求項３】
前記開閉弁は、前記配管系のうちの給水配管に設けられ、
前記開閉弁が開弁状態の場合に、前記外装ケースに装着された前記扉部材の前記開孔から前記操作部が外方へ突出することを特徴とする請求項２に記載の貯湯給湯装置。
【請求項４】
前記開閉弁は、前記配管系のうちの排水配管に設けられ、
前記開閉弁が閉弁状態の場合に、前記外装ケースに装着された前記扉部材の前記開孔から前記操作部が外方へ突出することを特徴とする請求項２に記載の貯湯給湯装置。
【発明の詳細な説明】
【技術分野】
【０００１】
本発明は貯湯給湯装置に関し、特にメンテナンス終了後に、所定の配管に設けられた開閉弁の操作部を通常運転状態のときの操作位置への戻し忘れを防止可能な貯湯給湯装置に関する。
【背景技術】
【０００２】
貯湯給湯装置は、一般的に、湯水を貯留する大容量の貯湯タンク、この貯湯タンクに低温の上水を供給する給水配管、前記貯湯タンク内の湯水を出湯する出湯配管、前記貯湯タンク内の湯水を排水する排水配管、前記貯湯タンクの下部から熱源機を経由して貯湯タンクの上部へ水を循環させて加熱する加熱循環配管、これら大部分を収納する直方体状の外装ケースなどを有する。尚、前記熱源機としては、燃料電池発電装置の排熱回収熱交換器やヒートポンプ装置などが活用される。
【０００３】
上記の貯湯給湯装置は、長期間の運転に応じて専門の作業員による定期的なメンテナンスを行う必要がある。この種のメンテナンス時には、基本的には給水配管から貯湯タンクへの給水を停止して、貯湯タンク内の湯水を外部に排水し、貯湯タンク内や各種の配管内に内圧が発生しない開放した状態で作業が行われる。
【０００４】
このため、給水配管や排水配管などの各種の配管には、その途中部の内部通路を開放状態と閉止状態とに切り換える為のメンテナンス用の開閉弁が設置され、メンテナンス時には、これら開閉弁の操作部（ハンドル）を適宜操作することになる。これら操作部は、主に配管カバーに覆われた外部配管と内部配管とを接続する配管接続部の近傍部に配置されている場合が多い。
【０００５】
そこで、メンテナンス時に操作部を操作する為の構造として、例えば、特許文献１には、配管カバーに開閉弁の位置に対応したメンテナンス用の開口部を設け、この開口部に着脱可能な蓋部材を取り付けた構造が開示されている。メンテナンスを行う場合には、配管カバー全体を取り外すことなく、蓋部材を取り外すだけで開閉弁を操作可能になるので、メンテナンス作業が容易に行える。
【先行技術文献】
【特許文献】
【０００６】
【特許文献１】特開２０１２―２１６９５号公報
【発明の概要】
【発明が解決しようとする課題】
【０００７】
しかし、特許文献１の構造では、メンテナンス作業が終了した後に、作業員が開閉弁の操作部を戻し忘れて、開閉弁の操作部が通常運転状態のときの操作位置とは異なる操作位置にある状態にも関わらず、メンテナンス用の開口部に蓋部材を取り付けてしまう虞がある。この状態で運転を開始しても、各種の配管に通常運転状態のように低温の上水や湯水が流れずに、貯湯給湯装置が使用できないという問題が生じる。さらに、貯湯給湯装置を復帰させる為には、作業員が再度メンテナンスに向う必要があり手間がかかってしまう。
【０００８】
本発明の目的は、メンテナンス終了後に、外装ケース内の開閉弁の操作部を通常運転時のときの操作位置に戻し忘れるのを防止可能な貯湯給湯装置を提供することである。
【課題を解決するための手段】
【０００９】
請求項１の貯湯給湯装置は、貯湯タンクと、配管系に設けられた開閉弁と、前記貯湯タンクと前記配管系と前記開閉弁とを収納する外装ケースとを備えた貯湯給湯装置において、前記外装ケースに形成された開口部と、この開口部を閉塞する為の着脱可能な扉部材とを備え、前記開閉弁は、開弁状態と閉弁状態とに切り換える為の操作部を備えると共に前記扉部材の近傍部に配置され、前記扉部材は、前記操作部が通常運転状態のときの操作位置とは異なる操作位置にある場合に前記開口部の閉塞が不可能になる干渉部を備えたことを特徴としている。
【００１０】
請求項２の貯湯給湯装置は、請求項１の発明において、前記開閉弁は、前記操作部の一部が前記開口部から外方へ突出するように前記外装ケースの内部に配置され、前記扉部材は、前記開閉弁の前記操作部の外形形状と同形状の開孔であって、前記開閉弁が開弁状態又は閉弁状態の場合に前記操作部が挿通可能な開孔を備え、前記干渉部は、前記扉部材における前記開孔の周囲の壁部の一部からなることを特徴としている。
【００１１】
請求項３の貯湯給湯装置は、請求項２の発明において、前記開閉弁は、前記配管系のうちの給水配管に設けられ、前記開閉弁が開弁状態の場合に、前記外装ケースに装着された前記扉部材の前記開孔から前記操作部が外方へ突出することを特徴としている。
【００１２】
請求項４の貯湯給湯装置は、請求項２の発明において、前記開閉弁は、前記配管系のうちの排水配管に設けられ、前記開閉弁が閉弁状態の場合に、前記外装ケースに装着された前記扉部材の前記開孔から前記操作部が外方へ突出することを特徴としている。
【発明の効果】
【００１３】
請求項１の発明によれば、外装ケースに形成された開口部と、この開口部を閉塞する為の着脱可能な扉部材とを備え、開閉弁は、開弁状態と閉弁状態とに切り換える為の操作部を備えると共に扉部材の近傍部に配置され、扉部材は、操作部が通常運転状態のときの操作位置とは異なる操作位置にある場合に開口部の閉塞が不可能になる干渉部を備えたので、メンテナンス等で開閉弁の操作部を操作した後に、この操作部が通常運転状態のときの操作位置に戻されてない場合は、扉部材を外装ケースに装着しようとしても、操作部に干渉部が干渉して開口部を閉塞できなくなる、故に、外装ケース内の開閉弁の操作部の戻し忘れを簡単な構造で防止することができる。
【００１４】
請求項２の発明によれば、開閉弁は、操作部の一部が開口部から外方へ突出するように外装ケースの内部に配置され、扉部材は、開閉弁の操作部の外形形状と同形状の開孔であって、開閉弁が開弁状態又は閉弁状態の場合に操作部が挿通可能な開孔を備え、干渉部は、扉部材における開孔の周囲の壁部の一部からなるので、開口部を扉部材で閉塞していても開閉弁の操作部を外部から直接視認できる為、開閉弁の開閉状態を容易に確認することができる。
【００１５】
請求項３の発明によれば、開閉弁は、配管系のうちの給水配管に設けられ、開閉弁が開弁状態の場合に、外装ケースに装着された扉部材の開孔から操作部が外方へ突出するので、給水配管に設けられた開閉弁の開弁状態への戻し忘れを防止し、メンテナンス終了後に、通常運転状態に復帰した際に貯湯タンク内に給水配管から上水を確実に供給することができる。
【００１６】
請求項４の発明によれば、開閉弁は、配管系のうちの排水配管に設けられ、開閉弁が閉弁状態の場合に、外装ケースに装着された扉部材の開孔から操作部が外方へ突出するので、排水配管に設けられた開閉弁の閉弁状態への戻し忘れを防止し、メンテナンス終了後に、通常運転状態に復帰した際に貯湯タンク内に貯留された湯水が排水配管から排水されるのを確実に防止することができる。
【図面の簡単な説明】
【００１７】
【図１】実施例１に係る貯湯ユニットの概略構成図である。
【図２】外装ケースの斜視図である。
【図３】扉部材と開弁状態の第１開閉弁の正面図である。
【図４】扉部材と開弁状態の第１開閉弁の断面図である。
【図５】扉部材の正面図である。
【図６】開弁状態の第１開閉弁の平面図である
【図７】開弁状態の第１開閉弁の正面図である。
【図８】閉弁状態の第１開閉弁の正面図である。
【図９】実施例２に係る扉部材と閉弁状態の第２開閉弁の正面図である。
【図１０】変更形態に係る扉部材と開弁状態の第１開閉弁の断面図である。
【発明を実施するための形態】
【００１８】
以下、本発明を実施するための形態について実施例に基づいて説明する。
【実施例１】
【００１９】
先ずは、貯湯給湯装置１の全体構成について簡単に説明する。
図１に示すように、貯湯給湯装置１は、縦長筒状の外周面を有する貯湯タンク３、給水配管４と加熱循環配管５と出湯配管６と排水配管７などの配管系、混合弁８、補助給湯器９、外装ケース１０などを有する。
【００２０】
尚、この貯湯給湯装置１は、熱交換器１１による貯湯タンク３内の湯水を加熱可能な燃料電池発電装置２と、この燃料電池発電装置２と貯湯給湯装置１との間に湯水を循環させる為の加熱循環配管５などと組み合わせることで燃料電池コージェネレーションシステムＣが構成されるが、貯湯給湯装置１以外の構成の詳細な説明は省略する。
【００２１】
貯湯タンク３は、熱交換器１１で加熱された高温の温水を貯留するものであり、耐腐食性に優れたステンレス製の板材で構成されている。貯湯タンク３は、その外面側を覆う保温材を備え、この保温材は、例えば、発泡ポリプロピレン、発泡ポリスチレンなどの樹脂を発泡成形した発泡断熱材で構成され、貯湯タンク３の外面側を覆って貯湯タンク３に貯留された温水の温度低下を防ぐ断熱機能を有する。貯湯タンク３内の複数の貯留層の湯水の温度が複数のタンク湯水温度センサ１３ａ〜１３ｄにより検出される。
【００２２】
貯湯タンク３内に貯留された高温の湯水（例えば、８０〜９０℃）を出湯配管６に供給することができる。貯湯タンク３の下部には、給水配管４の下流端と加熱循環配管５の上流端とが接続される下部通路部１４が接続されている。この下部通路部１４を介して、給水配管４から低温の上水を貯湯タンク３内に供給することができ、貯湯タンク３内から加熱循環配管５に湯水を流すことができる。
【００２３】
給水配管４は、上流側通路部４ａ、下流側通路部４ｂ、分岐通路部４ｃを有する。上流側通路部４ａの上流端に上水源（図示略）が接続されている。下流側通路部４ｂの下流端が下部通路部１４に接続され、分岐通路部４ｃの下流端が混合弁８に接続されている。給水配管４の上流側通路部４ａには、貯湯タンク３へ低温の上水を供給する為の手動式の第１開閉弁１５が設けられており、通常は第１開閉弁１５が開弁されていて、上水を貯湯タンク３内に供給するようになっている。
【００２４】
貯湯タンク３の下部には、外部に延びる排水配管７が接続されている。排水配管７には、貯湯タンク３内の湯水を排水する為の手動式の第２開閉弁１６が設けられており、通常は第２開閉弁１６が閉弁されていて、貯湯給湯装置１を長期間運転停止する場合や定期的なメンテナンスを行う場合に、第２開閉弁１６は開弁されて貯湯タンク３内の湯水を排水するようになっている。
【００２５】
加熱循環配管５は、熱交換器１１により加熱される湯水が流れる流路であり、往き通路部５ａ、戻り通路部５ｂを有する。往き通路部５ａの上流端が下部通路部１４に接続され、往き通路部５ａの下流端が熱交換器１１に接続されている。戻り通路部５ｂの上流端が熱交換器１１に接続され、下流端が貯湯タンク３の上部に接続されている。貯湯タンク３から循環ポンプ１２を介して湯水が下部通路部１４、加熱循環配管５の往き通路部５ａを通り熱交換器１１に送られ、熱交換器１１で加熱された温水は戻り通路部５ｂを流れて貯湯タンク３へ戻される。
【００２６】
出湯配管６は、高温の湯水が流れる上流側通路部６ａ、水と高温の湯水が混合された混合湯水が流れる下流側通路部６ｂを有する。上流側通路部６ａの上流端が貯湯タンク３の上部に接続され、上流側通路部６ａの下流端が混合弁８に接続されている。下流側通路部６ｂの上流端が混合弁８に接続され、下流側通路部６ｂの下流端に給湯栓１７が接続されている。混合弁８は、出湯温度が指令温度になるように、混合される水と高温の湯水の流量比が制御される。
【００２７】
給水配管４の上流側通路部４ａと出湯配管６の下流側通路部６ｂがバイパス通路１８により接続され、このバイパス通路１８に高温出湯回避用の安全弁１９が設けられている。出湯配管６の下流側通路部６ｂの途中部には、湯水の熱量が不足している場合に湯水を加熱する為の補助給湯器９が設けられている。
【００２８】
補助給湯器９は、ガス給湯器であり、ガスバーナーからなる燃焼部と、この燃焼部に燃焼用空気を供給する為の送風機と、前記燃焼部から発生する燃焼熱によって水を再加熱して湯水を生成する熱交換器などを備え、外部から延びるガス配管２１を介して燃焼部にガスが供給される。このガス配管２１には手動式の第３開閉弁２２（所謂ガス元栓）が設けられており、通常は第３開閉弁２２は開弁されていて、燃料ガスを補助給湯器９に供給可能になっている。
【００２９】
次に、外装ケース１０について説明する。
図２に示すように、外装ケース１０は、前側板３１、左右１対の側板３２，３３、後側板３４、天側板３５などを備えて、薄鋼板製の箱状に構成されている。外装ケース１０は、貯湯タンク３、各種の配管５〜７、混合弁８、第１開閉弁１５などを収容している。尚、第２，第３開閉弁１６，２２は、本実施例では、外装ケース１０内部に設けられた構造であっても良いし、外装ケース１０の外部に設けられた構造であっても良い。
【００３０】
外装ケース１０を構成する各側板３１〜３５は、ケーシング部材３６に取り付けられている。ケーシング部材３６は、貯湯タンク３の外周側の４隅部に配設され且つ縦方向に延びる複数の縦ラック部材３６ａ及びこれら複数の縦ラック部材３６ａに固定された横方向に延びる横ラック部材３６ｂなどから構成されている。
【００３１】
外装ケース１０の前側下部には、側面視逆Ｌ字状の仕切り板で区画された前方開放状の段差凹み部３７が設けられている。この前側板３１から後方に後退した段差凹み部３７の上壁部３７ａと奥壁部３７ｂに配管接続部３８が設けられている。配管接続部３８は、各種の配管５〜７の外部配管と内部配管とを接続する為の複数の配管継手３８ａを備えている。
【００３２】
さらに、図２〜図４に示すように、外装ケース１０は、外装ケース１０の一部である段差凹み部３７の奥壁部３７ｂに形成されたメンテナンス用の矩形状の開口部４１と、この開口部４１を閉塞する為の奥壁部３７ｂに着脱可能な矩形板状の扉部材４２とを備えている。扉部材４２に形成された第１開閉弁１５の操作部４３の戻し忘れ防止機構４０については後述する。外装ケース１０には、配管接続部３８を覆うように平面視コ字型の配管カバー３９が段差凹み部３７に取り付けられる。
【００３３】
次に、第１〜第３開閉弁１５，１６，２２について説明するが、基本的な構造は同様であるので、以下では、第１開閉弁１５についてのみ説明する。
図６〜図８に示すように、第１開閉弁１５は、給水配管４に一体的に設けられた弁本体１５ａと、この弁本体１５ａに設けられ且つ弁本体１５ａの内部通路１５ｃを開放状態と閉止状態とに切り換え可能な弁軸１５ｂと、この弁軸１５ｂの端部に固定され且つ弁軸１５ｂを操作可能な操作部４３とを備えている。
【００３４】
操作部４３は、弁軸１５ｂの端部に固定された中心円板部４３ａと、この中心円板部４３ａの対向する端部から外側に延びる帯状の１対の把持部４３ｂとから構成されている。把持部４３ｂは、中心円板部４３ａに対して直交状に夫々形成されている。第１開閉弁１５は、操作部４３を図６，図７に示す状態から図８に示す状態へ９０度回転することにより、弁軸１５ｂを回転させて開弁状態と閉弁状態とに切り換えることができる。尚、第１〜第３開閉弁１５，１６，２２の弁構造は、操作部４３の操作を介して開閉状態の切換え可能なものであれば、種々の構造のものが採用可能である。
【００３５】
次に、本発明に関する第１開閉弁１５の操作部４３の戻し忘れ防止機構４０について説明する。
図３〜図５に示すように、戻し忘れ防止機構４０は、扉部材４２の右側下部に設けられている。戻し忘れ防止機構４０は、開弁状態の第１開閉弁１５の操作部４３の外形形状と同形状の開孔４５であって、第１開閉弁１５が開弁状態の場合に操作部４３が挿通可能な開孔４５と、操作部４３が通常運転状態のときの操作位置とは異なる操作位置にある場合に開口部４１の閉塞が不可能になる干渉部４６とを備えている。
【００３６】
開孔４５は、扉部材４２の右側下部に横向きに且つ貫通状に形成されている。開孔４５は、第１開閉弁１５の弁軸１５ｂと同一軸心状の中心大径孔４５ａと、この中心大径孔４５ａから対向する部分から左右方向に延びる１対の直線状孔４５ｂとから構成されている。干渉部４６は、扉部材４２における開孔４５の周囲の壁部の一部から構成されている。即ち、図３，図５に示すように、干渉部４６は、開孔４５の中心大径孔４５ａの上下壁部から構成されている。
【００３７】
第１開閉弁１５は、外装ケース１０の内部に大部分が収納されるように配置されると共に操作部４３の一部が開口部４１から外方へ突出するように扉部材４２の近傍部に配置されている。即ち、第１開閉弁１５が開弁状態の場合には、外装ケース１０に装着された扉部材４２の開孔４５から操作部４３が部分的に外方へ突出し、第１開閉弁１５が閉弁状態の場合には、扉部材４２の干渉部４６（開孔４５の上下壁部）に操作部４３の１対の把持部４３ｂが裏面側から当接するので、扉部材４２の装着が不可能になる。
【００３８】
扉部材４２の下端には、下方に突出する１対の係合突部４２ａが設けられている。扉部材４２を外装ケース１０に固定する場合は、１対の係合突部４２ａを外装ケース１０の開口部４１の下側壁部に設けられた１対の被係合部に係合し、扉部材４２の上端部を開口部４１の上側壁部にビス４２ｂを介して固定することで、扉部材４２を開口部４１を覆うように外装ケース１０に取り付けることができる。
【００３９】
次に、本発明の貯湯給湯装置１の作用及び効果について説明する。
貯湯給湯装置１のメンテナンスを行う場合、先ずは、外装ケース１０から配管カバー３９を取り外して配管接続部３８を露出させ、次に、外装ケース１０の奥壁部３７ｂから扉部材４２を取り外して開口部４１を開放し、メンテナンス内容に応じて第１開閉弁１５の操作部４３を操作する。
【００４０】
ここで、例えば、貯湯タンク３への上水の供給を停止したい場合、第１開閉弁１５の操作部４３を操作して、図６，図７に示す開弁状態から図８に示す閉弁状態にすることで、貯湯タンク３への上水の供給が停止される。すると、貯湯タンク３内に給水圧が作用しない状態となるので、メンテナンス作業を行うことができる。
【００４１】
メンテナンス終了後に、扉部材４２を外装ケース１０に装着する際に、第１開閉弁１５が閉弁状態のままだと、扉部材４２を外装ケース１０に取り付けようとしても、操作部４３の１対の把持部４３ｂが扉部材４２の干渉部４６（開孔４５の上下壁部）に当接し、扉部材４２を外装ケース１０に取り付けることができない（閉弁状態における１対の把持部４３ｂの位置を示す図３の鎖線参照）。そこで、操作部４３を操作して第１開閉弁１５を開弁状態に戻すことで、操作部４３が扉部材４２の開孔４５に挿通可能な状態となり、外装ケース１０に扉部材４２を取り付けることができるので、操作部４３の戻し忘れを防止することができる。
【００４２】
以上の説明によれば、外装ケース１０に形成された開口部４１と、この開口部４１を閉塞する為の着脱可能な扉部材４２とを備え、第１開閉弁１５は、開弁状態と閉弁状態とに切り換える為の操作部４３を備えると共に扉部材４２の近傍部に配置され、扉部材４２は、操作部４３が通常運転状態のときの操作位置とは異なる操作位置にある場合に開口部４１の閉塞が不可能になる干渉部４６を備えたので、メンテナンス等で第１開閉弁１５の操作部４３を操作した後に、この操作部４３が通常運転状態のときの操作位置に戻されてない場合は、扉部材４２を外装ケース１０に装着しようとしても、操作部４３に干渉部４６が干渉して開口部４１を閉塞できなくなる、故に、外装ケース１０内の第１開閉弁１５の操作部４３の戻し忘れを簡単な構造で防止することができる。
【００４３】
また、第１開閉弁１５は、操作部４３の一部が開口部４１から外方へ突出するように外装ケース１０の内部に配置され、扉部材４２は、第１開閉弁１５の操作部４３の外形形状と同形状の開孔４５であって、第１開閉弁１５が開弁状態の場合に操作部４３が挿通可能な開孔４５を備え、干渉部４６は、扉部材４２における開孔４５の周囲の壁部の一部からなるので、開口部４１を扉部材４２で閉塞していても第１開閉弁１５の操作部４３を外部から直接視認できる為、第１開閉弁１５の開閉状態を容易に確認することができる。
【００４４】
さらに、第１開閉弁１５は、配管系のうちの給水配管４に設けられ、第１開閉弁１５が開弁状態の場合に、外装ケース１０に装着された扉部材４２の開孔４５から操作部４３が外方へ突出するので、給水配管４に設けられた第１開閉弁１５の開弁状態への戻し忘れを防止し、メンテナンス終了後に、通常運転状態に復帰した際に貯湯タンク３内に給水配管４から上水を確実に供給することができる。
【実施例２】
【００４５】
次に、実施例１の貯湯給湯装置１を部分的に変更した実施例２について説明する。実施例１と同様の構成には同様の参照符号を付して説明は省略する。尚、実施例１では、前記実施例１の戻し忘れ防止機構４０は、給水配管４に設けられた第１開閉弁１５の操作部４３に対して適用されているが、本実施例の戻し忘れ防止機構４０Ａは、配管系のうちの排水配管７に設けられた第２開閉弁１６の操作部４３Ａに対して適用されている。
【００４６】
図９に示すように、戻し忘れ防止機構４０Ａは、閉弁状態の第２開閉弁１６の操作部４３Ａの外形形状と同形状の実施例１の開孔４５と同様な開孔４５Ａであって、第２開閉弁１６が閉弁状態の場合に操作部４３Ａが挿通可能な開孔４５Ａと、操作部４３Ａが通常運転状態のときの操作位置とは異なる操作位置にある場合に開口部４１の閉塞が不可能になる開孔４５Ａの上下壁部からなる干渉部４６Ａとを備えている。
【００４７】
第２開閉弁１６は、外装ケース１０の内部に大部分が収納されるように配置されると共に操作部４３Ａの一部が開口部４１から外方へ突出するように扉部材４２Ａの近傍部に配置されている。即ち、第２開閉弁１６が閉弁状態の場合には、外装ケース１０に装着された扉部材４２Ａの開孔４５Ａから操作部４３Ａが外方へ突出し、第２開閉弁１６が開弁状態の場合には、扉部材４２Ａの開孔４５Ａの上下壁部に操作部４３Ａの一部が裏面側から当接するので、扉部材４２Ａの装着が不可能になる（開弁状態の１対の把持部４３ｂを示す図９の鎖線参照）。
【００４８】
以上の説明によれば、第２開閉弁１６は、配管系のうちの排水配管７に設けられ、第２開閉弁１６が閉弁状態の場合に、外装ケース１０に装着された扉部材４２Ａの開孔４５Ａから操作部４３Ａが外方へ突出するので、排水配管７に設けられた第２開閉弁１６の閉弁状態への戻し忘れを防止し、メンテナンス終了後に、通常運転状態に復帰した際に貯湯タンク３内に貯留された湯水が排水配管７から排水されるのを確実に防止することができる。開口部４１を扉部材４２Ａで閉塞していても第２開閉弁１６の操作部４３Ａを外部から直接視認できる為、第２開閉弁１６の開閉状態を容易に確認することができる。
【００４９】
次に、前記実施例１，２を部分的に変更する例について説明する。
［１］前記実施例１の戻し忘れ防止機構４０は、給水配管４に設けられた第１開閉弁１５の操作部４３に対して適用され、前記実施例２の戻し忘れ防止機構４０は、排水配管７に設けられた第２開閉弁１６の操作部４３Ａに対して適用されているが、これらに限定する必要はなく、配管系のうちのガス配管２２に設けられた第３開閉弁２１に適用してもよい。
【００５０】
この場合、第３開閉弁２１は、外装ケース１０の内部に大部分が収納されるように配置されると共に操作部４３の一部が開口部４１から外方へ突出するように扉部材４２の近傍部に配置される。この構成によると、ガス配管２２に設けられた第３開閉弁２１の閉弁状態への戻し忘れを防止し、メンテナンス終了後に、通常運転状態に復帰した際に補助給湯器９にガス配管２２からガスを確実に供給することができる。
【００５１】
［２］前記実施例１の戻し忘れ防止機構４０に、前記実施例２の戻し忘れ防止機構４０Ａを加えた構造であっても良い。即ち、前記扉部材４２は、第１開閉弁１５が開弁状態の場合に操作部４３が挿通可能な開孔４５と、第２開閉弁１６が閉弁状態の場合に操作部４３Ａが挿通可能な開孔４５Ａとの２つの開孔４５，４５Ａを備えた構造であっても良い。
【００５２】
［３］図１０に示すように、戻し忘れ防止機構４０Ｂは、前記開孔４５を省略し、扉部材４２Ｂの裏面側に固定された上下１対の規制部材４６Ｂからなる干渉部を備えた構成であっても良い。この構成によれば、第１開閉弁１５が開弁状態の場合には、扉部材４２Ｂの１対の規制部材４６Ｂ間に操作部４３が挿入されるので、扉部材４２を外装ケース１０に装着することができる。第１開閉弁１５が閉弁状態の場合には、１対の規制部材４６Ｂに操作部４３の一部が当接するので、扉部材４２を外装ケース１０に装着するのが不可能になる。尚、上下１対の規制部材４６Ｂのうちの一方を省略しても良い。
【００５３】
［４］前記実施例１，２において、前記開孔４５，４５Ａの位置や向きは、上述した位置や向きに限定する必要はなく、第１〜第３開閉弁１５，１６，２２の設置状態に応じて適宜変更可能である。また、前記開孔４５，４５Ａの形状は、第１〜第３開閉弁１５，１６，２２の操作部４３の外形形状に応じて適宜変更可能である。
【００５４】
［５］前記実施例１，２では、燃料電池コージェネレーションシステムの燃料電池発電装置を熱源機とする貯湯給湯装置１を例にして説明したが、ヒートポンプやガスエンジンを熱源機とする貯湯給湯装置にも本発明を同様に適用することができる。
【００５５】
［６］その他、当業者であれば、本発明の趣旨を逸脱することなく、前記実施例に種々の変更を付加した形態で実施可能であり、本発明はそのような変更形態を包含するものである。
【符号の説明】
【００５６】
１      貯湯給湯装置
３      貯湯タンク
４      給水配管
６      出湯配管
７      排水配管
１０    外装ケース
１５    第１開閉弁
１６    第２開閉弁
２２    第３開閉弁
４１    開口部
４２，４２Ａ，４２Ｂ    扉部材
４３，４３Ａ    操作部
４５，４５Ａ    開孔
４６，４６Ａ，４６Ｂ    干渉部
【図１】
2014025647.tif 000003
【図２】
2014025647.tif 000004
【図３】
2014025647.tif 000005
【図４】
2014025647.tif 000006
【図５】
2014025647.tif 000007
【図６】
2014025647.tif 000008
【図７】
2014025647.tif 000009
【図８】
2014025647.tif 000010
【図９】
2014025647.tif 000011
【図１０】
2014025647.tif 000012